(57)【特許請求の範囲】
【請求項１】
穀粒を貯留する貯留タンク下方に、穀粒を乾燥する多孔板からなる仕切壁面を設けた乾燥部を左右に配置し、該左右の乾燥部の下方に乾燥された穀粒を集積する集穀室を設け、該集穀室には遠赤外線放射体を備えた穀粒乾燥機において、前記左右の乾燥部それぞれの外側に設け前記集穀室と連通する左右の空間は、それぞれ左右の連通部材を介して前記遠赤外線放射体と連通し、該左右の連通部材は、前記遠赤外線放射体の熱風の排出口から前記集穀室を形成する機壁の後外側を迂回する構成としたことを特徴とする穀粒乾燥機。
【請求項２】
前記連通部材は遠赤外線放射体に送風された熱風の一部を通気し、余りの熱風は遠赤外線放射体上面に形成した開口部より排出すべく構成したことを特徴とする請求項１記載の穀粒乾燥機。
【発明の詳細な説明】
【０００１】
【発明の属する技術分野】
本発明は、遠赤外線放射体を集穀室に配設した穀粒乾燥機の乾燥用熱風の分配装置に関する。
【０００２】
【従来の技術】
従来、特開平９−１１３１４０号公報のように、貯留タンクに通気構造の穀粒流下通路と、熱風室および排風室からなる乾燥部を接続し、該乾燥部下方に集穀室を接続し、該集穀室内に遠赤外線放射体を形成する放熱管を配備した穀粒乾燥機が開示されている。この放熱管の一端はバーナに接続され、放熱管の他端は連結Ｕ字管を介して熱風室内に接続し、バーナの熱風を放熱管を通して熱風室に導き穀粒を乾燥する一方、遠赤外線放射体の放熱管により集穀室内に遠赤外線を放射して集穀室内の穀粒を加熱する構成である。
【０００３】
【発明が解決しようとする課題】
この穀粒乾燥機はバーナにより生成された熱風を乾燥風として穀粒に通気するだけでなく、遠赤外線放射体を加熱し、該遠赤外線放射体から放射される遠赤外線により、穀粒の内部水分を拡散し、熱効率を高める効果があるが、バーナの燃焼量が大きく、同時に乾燥用の空気量が増大すると、前記遠赤外線放射体では通気抵抗が大きく、必要乾燥風量を確保できないという問題があった。
【０００４】
また、熱風室への熱風排出口を一箇所とすると、熱風室内の温度分布に偏りが生じて乾燥が均一にならない懼れがあった。本発明は、高燃焼量、大風量を必要とする穀粒乾燥機であっても、前記遠赤外線による輻射伝熱の作用をもち、かつ大容量の穀粒を乾燥処理可能な穀粒乾燥機を提供する。
【０００５】
また、熱風が排出される集穀室内を一様な温度分布にし、乾燥ムラの生じない穀粒乾燥機を提供する。さらに、集穀室内の圧力変化を低減し、塵埃が特定の箇所に堆積しないようにした穀粒乾燥機を提供する。
【０００６】
【課題を解決するための手段】
上記課題を解決するために、請求項１に係る発明は、穀粒を貯留する貯留タンク下方に、穀粒を乾燥する多孔板からなる仕切壁面を設けた乾燥部を左右に配置し、該左右の乾燥部の下方に乾燥された穀粒を集積する集穀室を設け、該集穀室には遠赤外線放射体を備えた穀粒乾燥機において、前記左右の乾燥部それぞれの外側に設け前記集穀室と連通する左右の空間は、それぞれ左右の連通部材を介して前記遠赤外線放射体と連通し、該左右の連通部材は、前記遠赤外線放射体の熱風の排出口から前記集穀室を形成する機壁の後外側を迂回する構成としたことを特徴とする穀粒乾燥機とする構成とした。
【０００７】
遠赤外線放射体に送風された熱風は、遠赤外線放射体を遠赤外線が放射する温度に加熱したのち、遠赤外線放射体の排出口から排出され、集穀室を形成する機壁の後外側に設けた左右の連通部材を介して、左右の乾燥部それぞれの外側で集穀室と連通する左右の空間へ送られ、上方の乾燥部へと通風され、多孔板からなる仕切壁面を流下する穀粒を乾燥する。
【０００８】
また、請求項２に係る発明は、前記連通部材は遠赤外線放射体に送風された熱風の一部を通気し、余りの熱風は遠赤外線放射体上面に形成した開口部より排出すべく構成した。遠赤外線放射体に送風された熱風は、遠赤外線放射体を遠赤外線が放射する温度に加熱したのち、一部は連通部材を介して乾燥部の外側で集穀室と連通する空間へ送られ、上方の乾燥部へと通風され、多孔板からなる仕切壁面を流下する穀粒を乾燥し、余りの熱風は遠赤外線放射体上面に形成した開口部から上方に向け排出され、乾燥風として左右の乾燥部へ送られて、多孔板からなる仕切壁面を流下する穀粒を乾燥する。
【０００９】
【発明の効果】
中央一箇所に遠赤外線放射体を配設する集穀室と、左右の乾燥部それぞれの外側に設けて集穀室と連通する左右の空間を備えると、遠赤外線放射体から排出される熱風は中央に偏り、左右両側の空間には熱風が届かず、集穀室内の温度分布に偏りが生じて、乾燥ムラの懼れを生じるが、穀粒を貯留する貯留タンク下方に、穀粒を乾燥する多孔板からなる仕切壁面を設けた乾燥部を左右に配置し、左右の乾燥部の下方に乾燥された穀粒を集積する集穀室を設け、集穀室には遠赤外線放射体を備えた穀粒乾燥機において、左右の乾燥部それぞれの外側に設け集穀室と連通する左右の空間は、それぞれ左右の連通部材を介して遠赤外線放射体と連通し、左右の連通部材は、遠赤外線放射体の熱風の排出口から集穀室を形成する機壁の後外側を迂回する構成としたことで、遠赤外線放射体と遠赤外線放射体を備えていない乾燥部それぞれの左右両外側の空間とをそれぞれ左右の連通部材を介して連通することにより、集穀室内の温度分布を一様にすることができる。
【００１０】
また、連通部材を集穀室を形成する機壁の後外側に設けることにより、連通部材が乾燥部から集穀室へ流下する穀粒の妨げになることがなく、高温の連通部材に塵埃が堆積することがないため安全である。
さらに、バーナにより生成された熱風は、一部は連通部材を介して遠赤外線放射体を設けていない左右の空間に排出され、余りの熱風は遠赤外線放射体上面開口部から排出されるように、熱風の通路を複数形成することにより通路の通気抵抗が減少し、大容量の乾燥風を通気することができ、これによりバーナの燃焼容量を増大することができ、穀粒の乾燥処理量を増加できるという効果を奏する。
【００１１】
【発明の実施の形態】
上記技術思想に基づき具体的に構成された実施の形態について以下に図面を参照しつつ本発明の穀粒乾燥機について説明する。発明に係る穀粒乾燥機の集穀室構造を適用した穀粒乾燥機の内部構成の側面断面図を図１に、同穀粒乾燥機の内部構成の平面断側図を図２、また、集穀室と遠赤外線放射体とを連通する連通部材が設けられた穀粒乾燥機の下部背面図を図３に示す。図４は遠赤外線放射体の縦断面図を示し、図５は連通部材と遠赤外線放射体とを接続した斜視図を示す。
【００１２】
図１および図３において、穀粒乾燥機１は、張り込まれた穀粒を調質する貯留タンクａ、その貯留穀粒を下降させつつ加熱乾燥させる乾燥部ｂ、加熱乾燥された穀粒を集積する集穀室ｃ、集積された穀粒を貯留タンクａに戻す昇降装置５による循環系等から構成される。
【００１３】
詳細には、貯留タンクａの上部に、穀粒搬入用の搬入装置６、搬入穀粒を拡散させる拡散装置７等を備える。また、貯留タンクａ下部には、集穀室ｃとの間を仕切って斜設した多孔板１１…、により形成される穀粒が流下する通路となる左右乾燥部ｂ，ｂ、この多孔板１１…と対向する吸引部１２、１２、乾燥部ｂの下端出口に備えた定量操出装置１３，１３等を備える。
【００１４】
多孔板１１…は貯留タンクａから穀粒を受け、この穀粒を定量操出装置１３，１３により所定の流下速度で乾燥部ｂへ導く。この時、乾燥部ｂが集穀室ｃ側から熱風を受けるとともに吸引部１２，１２に備える吸引ファン１２ａが排気動作することにより、熱風が乾燥部ｂから吸引部１２を介して排気される。この熱風が穀粒の流れを横断することにより、流下する穀粒を加熱乾燥する。
【００１５】
集穀室ｃには、定量操出装置１３，１３から排出された穀粒を傾斜案内して中央部に集積するための集穀板１４，１４、この集穀板１４，１４によって集積された穀粒を搬出する下部螺旋１５、集穀板１４，１４に臨む遠赤外線放射体１６等を備える。
【００１６】
集穀板１４，１４は、その下側に中空部を形成すべく下板１４ａ，１４ａを略平行する二重構造に形成し、定量操出装置１３，１３下方位置から外側に向けて、傾斜角度を急にしており、定量操出装置１３，１３下方位置から外側に至る集穀板１４，１４に塵埃が堆積しないようにしている。
【００１７】
また、前記集穀板１４，１４と下板１４ａ，１４ａ間のダクト状の中空部は、側壁dまたは下板１４ａ，１４ａ上端部に設けた開口部２１と連通し、乾燥運転中に該開口部２１から流入した外気が、この中空部を通過する間に加熱され、中空部下端の開口ｅから排出されて、機遠赤外線放射体１６から排出される熱風と混合されて、乾燥部ｂへ通気するようになっている。
【００１８】
下部螺旋１５は、図３のように、移送用螺旋軸１８と断面が略半円弧形の下部搬送樋１９とにより、移送用螺旋軸１８を落とし込んで構成する。下部搬送樋１９は、二重構造の集穀板１４，１４の下板１４ａ，１４ａの下端と嵌合している。
【００１９】
この下部螺旋１５に臨んで、集穀板１４，１４の下部開口ｅ，ｅを配置し、かつ、移送穀粒によって下部開口ｅ，ｅが閉塞されないように、下部開口ｅ，ｅを移送用螺旋軸１８による移送領域より上位に、すなわち、移送用螺旋軸１８により移送される穀粒表面Ｓより上位に配置している。
【００２０】
このように集穀板１４，１４の下部開口ｅ，ｅを構成することにより、外気導入路ｇ，ｇは、移送穀粒によって閉塞されることなく、集穀板１４，１４に沿って最長の経路が確保される。なお、穀粒を張り込むために、穀粒張込ホッパ４ａを集穀室ｃの側部に開閉可能に備え、または、これに代えて昇降機５にホッパ４ｂを設けている。
【００２１】
遠赤外線放射体１６は、その前端部に熱風生成用のバーナ１７を備え、バーナ１７後方には遠赤外線放射体１６内部の温度を均一にする保炎板１７ａを設けている。この保炎板１７ａは、バーナ１７から送られた加熱空気が遠赤外線放射体１６の上部側よりも下部側ほど多量に吐出すべく周囲に形成した開口部を下側ほど漸次拡大しており、保炎板１７ａを支持する支持体１７ｂが遠赤該線放射体１６の下面から保炎板１７ａに亘り設けられている。この支持体１７ｂは遠赤外線放射体１６の長手方向に略平行になっていて、加熱空気の通気抵抗を減少し、且つ保炎板１７ａの熱が遠赤外線放射体１６の下面へよく伝導されるようにしている。また、遠赤外線放射体１６は断面略Ｕ字形状の上面を開放した板体に、前端から終端にかけて漸次下方に傾斜し、両側に壁面を有する断面Ｕ字形状の仕切板１８を挟み入れ、仕切板１８上面には遠赤外線放射体１６の入口６から仕切板１８の中間部８にかけて外気を導入するダクト９を設け、仕切板１８下面にはバーナ１７により生成された熱風が上下に千鳥状に通過し、遠赤外線放射体１６が均一に加温されるべく穀粒乾燥機１の前壁２側に傾斜して、前記仕切板１８間と遠赤外線放射体１６下面との間に空隙部を形成する案内板１６ｂ，１６ｃ，．．が交互に配置されたもので、仕切板１８終端部の下部および両側部には前記熱風が排出する排出口１６ａ，１６ｇ，１６ｇが形成されている。
【００２２】
この両側部に形成された排出口１６ｇ，１６ｇには、平面視Ｌ字状の連通部材２２の一端２２ａが接続され、連通部材２２の他端２２ｂは後述する穀粒乾燥機１の後機壁３に形成した開口部３ａに接続している。後機壁３の遠赤外線放射体１６正面には前記排出口１６ａから排出される熱風と混合する乾燥用の外気吸引口１０が遠赤外線放射体１６の外径に略等しい大きさで設けられ、前記開口部３ａは両外側の集穀室ｃの後壁に連通部材２２の端部２２ｂよりも大きな径で、多孔状に形成されている。
【００２３】
昇降装置５は、集穀室ｃの下部螺旋１５から受けた穀粒を搬入装置６まで昇降するバケットコンベヤ５ａによって構成する。昇降装置５の上端には、搬入装置６に近接して穀粒を排出する排出部２０を備える。また、循環中の穀粒の水分値を測定する水分測定装置２１を昇降装置５に備える。
【００２４】
上記構成の穀粒乾燥機１は、貯留タンクａに貯留された穀粒が定量繰出装置１３により乾燥部ｂを流下する際に、吸引部１２、１２に吸引される乾燥用熱風を集穀室ｃ側から多孔板１１…に受けて加熱乾燥される。集穀室ｃに繰り出された穀粒は、集穀板１４，１４によって中央部に集積され、下部螺旋１５によって昇降装置５に送られる。穀粒は、水分測定装置２１によって水分チェックを受けつつ昇降装置５により搬入装置６まで上昇され、所定の水分値になるまで繰り返して循環乾燥される。
【００２５】
この一連の処理において、乾燥部ｂから繰り出された穀粒が集穀板１４，１４を流下する間に遠赤外線放射体１６による輻射熱が穀粒に放射され、穀物温度が上昇して、下部螺旋１５から昇降装置５、搬入装置６を介して貯留タンクａに送られ、この貯留タンクａ内を流下する間に穀粒内部の水分が穀粒表面に移流、拡散され、次回の乾燥部ｂにおける乾燥が進みやすくなる。
【００２６】
遠赤外線放射体１６を加熱した熱風は排出口１６ａから排出され、ダクト９に流入した外気と、外気吸引口１０から流入した外気と混合して、遠赤外線放射体１６上部開口部２３から乾燥用風となって左右内側の乾燥部ｂの多孔板１１，１１を横断して吸引部１２に至り、この間に穀粒を乾燥する。
【００２７】
また、排出口１６ｇから排出された熱風は左右の連通部材２２，２２を介して後機壁３外側を迂回した後、開口部３ａから左右の集穀室ｃ空間へ流入する。このとき、連通部材端部２２ｂ周囲は多孔状になっているため、外気が流入してこれと前記熱風が混合され、乾燥風となって乾燥部ｂ外側左右の多孔板１１，１１を横断して吸引部１２に至り穀粒を乾燥する。
【００２８】
したがって、集穀室ｃが複数の部屋または空間に分かれていても、集穀室ｃの中央一箇所に配設した遠赤外線放射体を加熱した熱風を中央に偏らせることなく、他の部屋または空間に熱風を均一に分配し、集穀室ｃ内の温度分布を一様にして乾燥ムラを防ぐ。
【００２９】
また、連通部材２２を後機壁３外側に設けているため、連通部材２２が乾燥部ｂから集穀室ｃへ流下する穀粒の妨げになることがなく、高温の連通部材２２に塵埃が堆積することがないため安全である。さらに、バーナ１７により生成された熱風は一部は連通部材２２を介して遠赤外線放射体１６を設けていない集穀室ｃに排出され、余りの熱風は遠赤外線放射体１６上面開口部から排出されるように、熱風の通路が複数形成されているため管路の通気抵抗が減少し、大容量の乾燥風を通気することができ、これによりバーナ１７の燃焼容量を増大することができ、穀粒の乾燥処理量を増加できるという効果を奏する。
【００３０】
また、連通部材２２を設けない場合は、中央の集穀室ｃから排出された熱風は定量繰出装置１３と集穀板１４との狭い間隙部を通過することになり、流速が増加すると同時に圧力が減少し、集穀室ｃ下部において発生した塵埃を乾燥部ｂ外側の集穀室ｃへ搬送し、定量繰出装置１３下方から外側にかけての集穀板１４上に塵埃が堆積し、間隙部を閉塞するという不具合が発生するが、上記構成にすると、前記間隙部を通過する熱風が減少し、圧力低下が起こらず、このため集穀板１４上の塵埃堆積を防止できる。
【００３１】
つぎに、本実施例に係わる乾燥部ｂの機枠構成について説明する。乾燥部ｂおよびを吸引部１２を構成する機枠ｚは前壁２、側壁d、後壁３により囲まれた枠内に穀粒を乾燥するための多孔板１１と、乾燥運転時の穀粒による自重と圧力による変形を防止するための補強部材３０とを固定したものであるが、出荷、搬送時は空隙部が多く、この空隙部の有効利用が望まれ、また、組立時はより搬送し易い構成とすることが望まれていた。
【００３２】
この機枠構成は補強部材３０をボルトまたは楔等により機枠ｚに着脱自在に構成し、出荷、搬送時は例えば搬入装置６を多孔板１１，１１間に収納して、補強部材３０により押圧固定し、組立時は該補強部材３０を取外し、搬入装置６を取り出したのち、再び補強部材３０を装着固定し、補強部材として利用するものであり、また、搬送し易くするものである。
【００３３】
このため、貯留タンクａの補強部材を兼用している補強部材３０には図６に示すように収納部品固定用の突起30a,30b,..が設けられ、図７のように機枠四隅の縦桟３１には前方、側方いずれからでも取手３２を装着可能な取付穴３４を形成し、適宜の取付穴３４に取手３２を通し、ピン３３にて固定すると機枠の前方または側方のいずれの方角からでも機枠を持ち運びできるようにしている。
【００３４】
図８は排出部２０の構成を示す図である。昇降機５に接続した搬入装置６には排出弁２０ａと、該排出弁２０ａに接続され搬入装置６の底板６ｂを開閉する開閉レバー４３が設けられている。排出弁２０ａは排出部２０側部に設けられたモータ４０によりリンク機構４１，４２を介して開閉される構成で、排出部２０下端は柔軟部材４４を介して排出パイプ４５，４５が接続されている。排出部２０と柔軟部材４４、および柔軟部材４４と排出パイプ４５とは固定バンド４７により固定され、排出パイプ４５同志は連結具４６により結合されている。
【００３５】
また、排出パイプ４５には導電用突起４５ａが設けられており、該導電用突起４５ａは導線４８を介して搬入装置６に設けたアース４９と接続されている。前記柔軟部材４４にゴムなどの絶縁体を使用すると、穀粒が排出弁２０ａから柔軟部材４４、排出パイプ４５を通って排出されるとき、穀粒と排出パイプ４５との間の摩擦により静電気が発生し、静電気が排出パイプ４５に帯電するという現象がおこる。しかし、排出パイプ４５と前記アース４９間とを導体４８で連結すると静電気の発生がなく、排出パイプ４５に触れたとき静電気による不快感を受けることがない。なお、前記導体４８は排出パイプ４５の落下防止のため、所定の径を有することが好ましい。
【図面の簡単な説明】
【図１】 発明に係る穀粒乾燥機の内部構成の側面断面図である。
【図２】 図１の穀粒乾燥機の内部構成の平面断側図である。
【図３】 集穀室と遠赤外線放射体とを連通する連通部材が設けられた穀粒乾燥機の下部背面図である。
【図４】 遠赤外線放射体の縦断面図である。
【図５】 連通部材と遠赤外線放射体とを接続した斜視図である。
【図６】 乾燥部の斜視図である。
【図７】 乾燥部の縦桟を示す平面図および隅部の拡大斜視図である
【図８】 排出部を示す図である。
【符号の説明】
１ 穀粒乾燥機
３ 後機壁
９ ダクト
１０ 外気吸引口
１１ 多孔板
１２ 吸引部
１３ 定量操出装置
１４ 集穀板
１４ａ 下板
１５ 下部螺旋
１６ 遠赤外線放射体
１６ａ，１６ｇ 排出口
１７ バーナ
１８ 移送用螺旋軸
２２ 連通部材
２３ 開口部
ａ 貯留タンク
ｂ 乾燥部
ｃ 集穀室（熱風室）
ｄ 側壁
ｅ 下端開口
ｇ 外気導入路
【図１】
0003870833.tif 000002
【図２】
0003870833.tif 000003
【図３】
0003870833.tif 000004
【図４】
0003870833.tif 000005
【図５】
0003870833.tif 000006
【図６】
0003870833.tif 000007
【図７】
0003870833.tif 000008
【図８】
0003870833.tif 000009